(57)【特許請求の範囲】
【請求項１】
特定の文字列、特定の図形又はこれらの特定の組み合わせからなる検出対象情報と当該検出対象情報に対応する処理内容とを含む複数の自動処理設定情報を記憶する記憶部と、
原稿の画像データを取得する画像データ取得部と、
前記画像データに基づいて前記原稿から前記検出対象情報を検出する検出処理部と、
前記検出処理部により前記原稿から前記自動処理設定情報に含まれる前記検出対象情報が検出された場合に、当該自動処理設定情報に含まれる前記処理内容で前記画像データを処理する処理実行部と、
を備え、
前記処理実行部は、前記検出処理部の検出結果に基づいて、前記検出対象情報が含まれるページのグループを前記自動処理設定情報ごとに個別に生成し、当該グループごとに、当該グループに対応する前記自動処理設定情報に含まれる前記処理内容で当該グループのページに対応する前記画像データを処理する、
画像処理装置。
【請求項２】
前記処理内容が、前記画像データの送信処理、印刷処理及び保存処理の少なくとも１つに関する処理内容を含む、
請求項１に記載の画像処理装置。
【請求項３】
特定の文字列、特定の図形又はこれらの特定の組み合わせからなる検出対象情報と当該検出対象情報に対応する処理内容とを含む１つ以上の自動処理設定情報を記憶する記憶部と、
原稿の画像データを取得する画像データ取得部と、
前記画像データに基づいて前記原稿から前記検出対象情報を検出する検出処理部と、
前記検出処理部により前記原稿から前記自動処理設定情報に含まれる前記検出対象情報が検出された場合に、当該自動処理設定情報に含まれる前記処理内容で前記画像データを処理する処理実行部と、
を備え、
前記処理内容が、前記検出処理部により特定の条件を満たす文字列が検出される個数に応じた部数だけ前記画像データを印刷する印刷処理を含む、
画像処理装置。
【請求項４】
前記画像データ取得部は、前記原稿の画像を読み取る画像読取部から前記画像データを取得する、
請求項１〜３のいずれかに記載の画像処理装置。
【請求項５】
前記検出対象情報が、特定の条件を満たす日付を示す文字列を含む、
請求項１〜４のいずれかに記載の画像処理装置。
【請求項６】
特定の文字列、特定の図形又はこれらの特定の組み合わせからなる検出対象情報と当該検出対象情報に対応する処理内容とを含む複数の自動処理設定情報を記憶する記憶部を備える画像処理装置における画像処理方法であって、
原稿の画像データを取得する画像データ取得ステップと、
前記画像データに基づいて前記原稿から前記検出対象情報を検出する検出処理ステップと、
前記検出処理ステップで前記原稿から前記自動処理設定情報に含まれる前記検出対象情報が検出された場合に、当該自動処理設定情報に含まれる前記処理内容で前記画像データを処理する処理実行ステップと、
を含み、
前記処理実行ステップは、前記検出処理ステップの検出結果に基づいて、前記検出対象情報が含まれるページのグループを前記自動処理設定情報ごとに個別に生成し、当該グループごとに、当該グループに対応する前記自動処理設定情報に含まれる前記処理内容で当該グループのページに対応する前記画像データを処理する、
画像処理方法。
【請求項７】
特定の文字列、特定の図形又はこれらの特定の組み合わせからなる検出対象情報と当該検出対象情報に対応する処理内容とを含む１つ以上の自動処理設定情報を記憶する記憶部を備える画像処理装置における画像処理方法であって、
原稿の画像データを取得する画像データ取得ステップと、
前記画像データに基づいて前記原稿から前記検出対象情報を検出する検出処理ステップと、
前記検出処理ステップで前記原稿から前記自動処理設定情報に含まれる前記検出対象情報が検出された場合に、当該自動処理設定情報に含まれる前記処理内容で前記画像データを処理する処理実行ステップと、
を含み、
前記処理内容が、前記検出処理ステップにより特定の条件を満たす文字列が検出される個数に応じた部数だけ前記画像データを印刷する印刷処理を含む、
画像処理方法。
【請求項８】
前記画像データ取得ステップは、前記原稿の画像を読み取る画像読取部から前記画像データを取得する、
請求項６又は７に記載の画像処理方法。
【請求項９】
前記検出対象情報が、特定の条件を満たす日付を示す文字列を含む、
請求項６〜８のいずれかに記載の画像処理方法。
【発明の詳細な説明】
【技術分野】
【０００１】
本発明は、画像処理装置及び画像処理方法に関する。
【背景技術】
【０００２】
読み取られた原稿の画像に特定の文字列又は画像が含まれている場合に、前記画像における前記文字列等の部分を自動的に編集して複写することが可能な複写装置が知られている（例えば、特許文献１参照）。
【先行技術文献】
【特許文献】
【０００３】
【特許文献１】特開２００３−６９８０３号公報
【発明の概要】
【発明が解決しようとする課題】
【０００４】
しかしながら、前記複写装置では、前記文字列等の部分が自動的に編集されるのみであり、原稿の画像に含まれている文字列等に応じた処理内容で原稿の画像データが処理（例えば、送信処理、印刷処理、保存処理）されるものではない。【０００５】
本発明の目的は、原稿の画像に含まれている文字列等に応じた処理内容で原稿の画像データを処理することが可能な画像処理装置及び画像処理方法を提供することにある。
【課題を解決するための手段】
【０００６】
本発明の一の局面に係る画像処理装置は、記憶部と、画像データ取得部と、検出処理部と、処理実行部と、を備える。前記記憶部は、特定の文字列、特定の図形又はこれらの特定の組み合わせからなる検出対象情報と当該検出対象情報に対応する処理内容とを含む１つ以上の自動処理設定情報を記憶する。前記画像データ取得部は、原稿の画像データを取得する。前記検出処理部は、前記画像データに基づいて前記原稿から前記検出対象情報を検出する。前記処理実行部は、前記検出処理部により前記原稿から前記自動処理設定情報に含まれる前記検出対象情報が検出された場合に、当該自動処理設定情報に含まれる前記処理内容で前記画像データを処理する。【０００７】
本発明の他の局面に係る画像処理方法は、特定の文字列、特定の図形又はこれらの特定の組み合わせからなる検出対象情報と当該検出対象情報に対応する処理内容とを含む１つ以上の自動処理設定情報を記憶する記憶部を備える画像処理装置における画像処理方法である。前記画像処理方法は、画像データ取得ステップと、検出処理ステップと、処理実行ステップと、を含む。前記画像データ取得ステップでは、原稿の画像データが取得される。前記検出処理ステップでは、前記画像データに基づいて前記原稿から前記検出対象情報が検出される。前記処理実行ステップでは、前記検出処理ステップで前記原稿から前記自動処理設定情報に含まれる前記検出対象情報が検出された場合に、当該自動処理設定情報に含まれる前記処理内容で前記画像データが処理される。
【発明の効果】
【０００８】
本発明によれば、原稿の画像に含まれている文字列等に応じた処理内容で原稿の画像データを処理することが可能な画像処理装置及び画像処理方法が提供される。
【図面の簡単な説明】
【０００９】
【図１】図１は、本発明の実施形態に係る画像処理装置のシステム構成を示すブロック図である。
【図２】図２は、本発明の実施形態に係る画像処理装置で用いられる自動処理設定情報の一例を示す図である。
【図３】図３は、本発明の実施形態に係る画像処理装置で実行される自動処理の第１実施例の手順の一例を示すフローチャートである。
【図４】図４は、本発明の実施形態に係る画像処理装置で用いられる原稿の一例を示す図である。
【図５】図５は、本発明の実施形態に係る画像処理装置で実行される自動処理の第２実施例の手順の一例を示すフローチャートである。
【図６】図６は、本発明の実施形態に係る画像処理装置で用いられる自動処理設定情報の一例を示す図である。
【図７】図７は、本発明の実施形態に係る画像処理装置で用いられる原稿の一例を示す図である。
【図８】図８は、本発明の実施形態に係る画像処理装置で用いられる確認画面の一例を示す図である。
【図９】図９は、本発明の実施形態に係る画像処理装置で用いられる自動処理設定情報の一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１の構成］
図１に示されるように、本発明の実施形態に係る画像処理装置１は、操作表示部１０、ＡＤＦ（Auto Document Feeder）１１、画像読取部１２、画像形成部１３、通信Ｉ／Ｆ１４、記憶部１５、及び制御部１６などを備える。具体的に、画像処理装置１は、プリンター機能、スキャナー機能、コピー機能、及びファクシミリ機能などを有する複合機である。なお、本発明は、複合機に限らず、コピー機、プリンター、ファクシミリ装置のような任意の画像処理装置に適用可能である。
【００１２】
操作表示部１０は、情報を表示する液晶ディスプレーなどの表示部と、ユーザー操作を受け付けるタッチパネル及び操作ボタンなどの操作部とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿台、光源、ミラー、光学レンズ、及びＣＣＤ（Charge Coupled Device）を備え、原稿３０（図４参照）の画像を読み取って画像データとして出力することが可能である。
【００１５】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１６】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１７】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。記憶部１５には、例えば、自動処理設定情報２０（図２参照）が記憶される。
【００１８】
ところで、読み取られた原稿３０の画像に特定の文字列又は画像が含まれている場合に、前記画像における前記文字列等の部分を自動的に編集して複写することが可能な複写装置が知られている。しかしながら、前記複写装置では、前記文字列等の部分が自動的に編集されるのみであり、原稿３０の画像に含まれている文字列等に応じた処理内容で原稿３０の画像データが処理（例えば、送信処理、印刷処理、保存処理）されるものではない。これに対して、本実施形態に係る画像処理装置１によれば、以下で説明するような構成及び動作により、原稿３０の画像に含まれている文字列等に応じた処理内容で原稿３０の画像データを処理することが可能である。
【００１９】
図２に示されるように、記憶部１５に記憶される自動処理設定情報２０には、特定の文字列、特定の図形又はこれらの特定の組み合わせからなる検出対象情報と、当該検出対象情報に対応する処理内容とが含まれる。記憶部１５に複数の自動処理設定情報２０（例えば、図２に示される自動処理設定情報２０Ａ，２０Ｂ）が記憶される場合、各々の自動処理設定情報２０は、設定ＩＤにより識別される。なお、自動処理設定情報２０は、例えば、操作表示部１０に対するユーザー操作に基づいて、必要に応じて作成、変更、追加、及び削除される。
【００２０】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
具体的に、制御部１６は、画像データ取得部１６１、検出処理部１６２、及び処理実行部１６３を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２２】
画像データ取得部１６１は、原稿３０の画像データを取得する。例えば、画像データ取得部１６１は、原稿３０の画像を読み取る画像読取部１２から前記画像データを取得する。もしくは、画像データ取得部１６１は、通信Ｉ／Ｆ１４を通じてパーソナルコンピューターなどの情報処理装置（ホスト装置）から原稿３０の画像データを取得してもよい。
【００２３】
検出処理部１６２は、前記画像データに基づいて原稿３０から特定の文字列、特定の図形又はこれらの特定の組み合わせからなる検出対象情報を検出する。具体的には、検出処理部１６２は、原稿３０から、記憶部１５に記憶されている自動処理設定情報２０に含まれる検出対象情報を検出する。特に、検出処理部１６２は、原稿３０の本文が記載されている印刷範囲内の領域のような予め設定された特定の領域から前記検出対象情報を検出する。例えば、図２に示される自動処理設定情報２０Ａには、前記検出対象情報として、「給与明細票」、「鈴木一郎」及び「２００９」の３つの文字列が含まれている。また、図２に示される自動処理設定情報２０Ｂには、前記検出対象情報として、「総会議事録」及び「最高経営責任者の報告」という２つの文字列と、「Logo1.png」という画像データによって示される１つの図形（ロゴマーク）とが含まれている。この場合、検出処理部１６２は、原稿３０から、これらの文字列及び図形を検出する。なお、検出処理部１６２による文字列及び図形の検出には、例えば、周知の文字認識処理及びパターンマッチング処理が用いられる。
【００２４】
処理実行部１６３は、検出処理部１６２により原稿３０から前記検出対象情報が検出された場合に、当該検出対象情報に対応する予め設定された処理内容で前記画像データを処理する。具体的には、処理実行部１６３は、検出処理部１６２により原稿３０から自動処理設定情報２０に含まれる前記検出対象情報が検出された場合に、当該自動処理設定情報２０に含まれる処理内容で前記画像データを処理する。なお、自動処理設定情報２０に含まれる処理内容は、例えば、前記画像データの送信処理（ファクシミリ送信又はメール送信）、印刷処理及び保存処理の少なくとも１つに関する処理内容である。
【００２５】
［自動処理の第１実施例］
次に、図３を参照しつつ、制御部１６によって実行される自動処理の第１実施例の手順の一例について説明する。ここで、ステップＳ１１，Ｓ１２，・・・は、制御部１６により実行される処理手順（ステップ）の番号を表している。なお、前記自動処理は、例えば、操作表示部１０に対する特定の操作（例えば、前記自動処理を開始するためのソフトキーの押下など）が検知されたことに応じて開始される。ここでは、画像読取部１２によって単一ページの原稿３０が読み取られる場合について説明する。
【００２６】
＜ステップＳ１１＞
まず、ステップＳ１１（画像データ取得ステップ）において、制御部１６（画像データ取得部１６１）は、画像読取部１２に原稿３０の画像を読み取らせて、原稿３０の画像データを取得する。
【００２７】
＜ステップＳ１２＞
ステップＳ１２（検出処理ステップ）において、制御部１６（検出処理部１６２）は、前記ステップＳ１１で取得された画像データと、記憶部１５に記憶されている自動処理設定情報２０とに基づいて、原稿３０から、自動処理設定情報２０に含まれている前記検出対象情報を検出する。例えば、図２に示される自動処理設定情報２０が記憶部１５に記憶されている場合、制御部１６は、原稿３０から、「給与明細票」、「鈴木一郎」、「２００９」、「総会議事録」及び「最高経営責任者の報告」の各々の文字列と、「Logo1.png」で示される図形とを検出する。この結果、例えば図４に示される原稿３０からは、「総会議事録」の文字列３１Ａと、「最高経営責任者の報告」の文字列３１Ｂと、「Logo1.png」で示される図形３２とが検出される。
【００２８】
＜ステップＳ１３＞
ステップＳ１３において、制御部１６は、前記ステップＳ１２の検出結果に基づいて、原稿３０から、記憶部１５に記憶されているいずれかの自動処理設定情報２０に含まれる前記検出対象情報が検出されたか否かを判断する。そして、いずれかの自動処理設定情報２０に含まれる前記検出対象情報が検出されたと判断されると（Ｓ１３：Ｙｅｓ）、処理がステップＳ１４に移行する。一方、いずれの自動処理設定情報２０に含まれる前記検出対象情報も検出されなかったと判断されると（Ｓ１３：Ｎｏ）、前記自動処理が終了する。
【００２９】
＜ステップＳ１４＞
ステップＳ１４（処理実行ステップ）において、制御部１６（処理実行部１６３）は、検出された前記検出対象情報に対応する処理内容で、前記画像データを処理する。
【００３０】
例えば、原稿３０から「給与明細票」、「鈴木一郎」及び「２００９」の文字列が検出された場合、制御部１６は、図２に示される自動処理設定情報２０Ａに含まれる処理内容で、原稿３０の画像データを処理する。すなわち、制御部１６は、前記画像データを通信Ｉ／Ｆ１４を通じて所定の宛先（予め登録された電子メールアドレスで示される宛先）にメール送信するとともに、当該画像データを画像形成部１３によりモノクロで１部印刷する。
【００３１】
また、例えば、原稿３０から「総会議事録」、「最高経営責任者の報告」の文字列と「Logo1.png」で示される図形とが検出された場合、制御部１６は、図２に示される自動処理設定情報２０Ｂに含まれる処理内容で、原稿３０の画像データを処理する。すなわち、制御部１６は、前記画像データを通信Ｉ／Ｆ１４を通じて所定の宛先にメール送信するとともに、当該画像データを画像形成部１３によりモノクロで１０部印刷し、更に当該画像データを所定の記憶領域（例えば、記憶部１５内の所定のフォルダー内）に保存する。そして、前記自動処理が終了する。
【００３２】
以上のように、本実施例によれば、原稿３０から予め設定された検出対象情報が検出された場合に、当該検出対象情報に対応する処理内容で原稿３０の画像データが処理される。すなわち、本実施例によれば、原稿３０の画像に含まれている文字列等に応じた処理内容で原稿３０の画像データを処理することが可能である。よって、例えば、給与明細票又は総会議事録のように周期的に作成される原稿３０の画像データを、予め登録された処理内容で簡単に処理することができるため、ユーザーの手間が軽減される。
【００３３】
なお、本実施例では、検出された前記検出対象情報に対応する処理内容で前記画像データが自動的に処理される場合について説明したが、本発明はこれに限定されない。他の実施形態では、前記ステップＳ１４の処理が実行される前に、制御部１６は、前記処理内容を操作表示部１０に表示して、当該処理内容で処理してもよいか否かをユーザーに確認してもよい。そして、操作表示部１０に対する特定の操作（例えば、ＯＫキー又はスタートキーの押下など）が検知された場合に、制御部１６は、前記処理内容で前記画像データを処理するようにしてもよい。
【００３４】
なお、同じ原稿３０から複数の自動処理設定情報２０に含まれる前記検出対象情報が検出された場合、制御部１６は、当該複数の自動処理設定情報２０の各々に含まれている処理内容で、当該原稿３０の画像データを処理してもよい。もしくは、制御部１６は、当該複数の自動処理設定情報２０のうちのいずれの自動処理設定情報２０に含まれている処理内容で前記画像データを処理すべきかを、ユーザーに選択させてもよい。もしくは、制御部１６は、当該複数の自動処理設定情報２０のうち、自動処理設定情報２０ごとに予め設定されている優先度に基づいて、当該優先度が最も高い自動処理設定情報２０に含まれている処理内容で前記画像データを処理してもよい。
【００３５】
［自動処理の第２実施例］
次に、図５を参照しつつ、前記自動処理の第２実施例の手順の一例について説明する。ここで、ステップＳ２１，Ｓ２２，・・・は、制御部１６により実行される処理手順（ステップ）の番号を表している。ここでは、画像読取部１２によって複数のページを有する原稿３０が読み取られる場合について説明する。
【００３６】
＜ステップＳ２１＞
まず、ステップＳ２１において、制御部１６（画像データ取得部１６１）は、例えばＡＤＦ１１を用いて画像読取部１２に複数のページを有する原稿３０を読み取らせて、原稿３０の画像データを取得する。
【００３７】
＜ステップＳ２２＞
ステップＳ２２において、制御部１６（検出処理部１６２）は、前記ステップＳ２１で取得された画像データと、記憶部１５に記憶されている自動処理設定情報２０とに基づいて、原稿３０の各ページから、自動処理設定情報２０に含まれている前記検出対象情報を検出する。例えば、図２に示される自動処理設定情報２０が記憶部１５に記憶されている場合、制御部１６は、原稿３０の各ページから、「給与明細票」、「鈴木一郎」、「２００９」、「総会議事録」及び「最高経営責任者の報告」の各々の文字列と、「Logo1.png」で示される図形とを検出する。
【００３８】
＜ステップＳ２３＞
ステップＳ２３において、制御部１６は、前記ステップＳ２２の検出結果に基づいて、原稿３０の少なくとも１つのページから、記憶部１５に記憶されているいずれかの自動処理設定情報２０に含まれる前記検出対象情報が検出されたか否かを判断する。そして、いずれかの自動処理設定情報２０に含まれる前記検出対象情報が検出されたと判断されると（Ｓ２３：Ｙｅｓ）、処理がステップＳ２４に移行する。一方、いずれの自動処理設定情報２０に含まれる前記検出対象情報も検出されなかったと判断されると（Ｓ２３：Ｎｏ）、前記自動処理が終了する。
【００３９】
＜ステップＳ２４＞
ステップＳ２４において、制御部１６は、前記検出対象情報が原稿３０の一部のページのみから検出されたか否かを判断する。そして、前記検出対象情報が原稿３０の一部のページのみから検出されたと判断されると（Ｓ２４：Ｙｅｓ）、処理がステップＳ２６に移行する。一方、前記検出対象情報が原稿３０の全ページから検出されたと判断されると（Ｓ２４：Ｎｏ）、処理がステップＳ２８に移行する。
【００４０】
＜ステップＳ２５＞
ステップＳ２５において、制御部１６は、処理対象のページをユーザーに問い合わせるための確認画面（不図示）を操作表示部１０に表示する。例えば、図２に示される自動処理設定情報２０Ｂに含まれる検出対象情報が原稿３０の一部のページ（例えば、原稿３０の先頭ページ）のみから検出された場合に、制御部１６は、「自動処理設定Ｂに対応する検出対象情報が、原稿の一部のページのみから検出されました。自動処理設定Ｂに対応する処理内容で、これらの一部のページのみ処理しますか？それとも、全ページを処理しますか？」のようなメッセージを含む確認画面を操作表示部１０に表示して、ユーザーによる選択操作を受け付ける。
【００４１】
＜ステップＳ２６＞
ステップＳ２６において、制御部１６は、前記選択操作に基づいて、処理対象が全ページであるか否かを判断する。そして、処理対象が全ページであると判断されると（Ｓ２６：Ｙｅｓ）、処理がステップＳ２８に移行する。一方、処理対象が前記一部のページのみであると判断されると（Ｓ２６：Ｎｏ）、処理がステップＳ２７に移行する。
【００４２】
＜ステップＳ２７＞
ステップＳ２７において、制御部１６（処理実行部１６３）は、前記一部のページから検出された前記検出対象情報に対応する予め設定された処理内容で、前記一部のページに対応する前記画像データを処理する。例えば、図２に示される自動処理設定情報２０Ｂに含まれる検出対象情報が原稿３０の先頭ページのみから検出された場合に、制御部１６は、当該先頭ページに対応する画像データをメール送信、印刷及び保存する。そして、前記自動処理が終了する。
【００４３】
＜ステップＳ２８＞
ステップＳ２８において、制御部１６（処理実行部１６３）は、前記一部のページから検出された前記検出対象情報に対応する予め設定された処理内容で、全ページに対応する前記画像データを処理する。例えば、図２に示される自動処理設定情報２０Ｂに含まれる検出対象情報が原稿３０の先頭ページのみから検出された場合に、制御部１６は、原稿３０の全ページに対応する画像データをメール送信、印刷及び保存する。そして、前記自動処理が終了する。
【００４４】
なお、本実施例では、前記検出対象情報が原稿３０の一部のページのみから検出された場合に、当該一部のページのみを処理すべきか、全ページを処理すべきかをユーザーに選択させているが、本発明はこれに限定されない。他の実施形態では、例えば、前記一部のページのみを処理すべきか全ページを処理すべきかが、自動処理設定情報２０ごとに予め設定されていてもよい。
【００４５】
［他の実施例］
次に、図６及び図７を参照して、記憶部１５に図６に示されるような複数の自動処理設定情報２０Ｃ〜２０Ｅが記憶されており、画像読取部１２によって図７に示されるような複数のページを有する原稿３０が読み取られる場合の制御部１６（処理実行部１６３）の動作の一例について説明する。
【００４６】
図６において、自動処理設定情報２０Ｃには、前記検出対象情報として「給与明細票」の文字列が含まれている。自動処理設定情報２０Ｄには、前記検出対象情報として「給与明細票２０１５」の文字列が含まれている。自動処理設定情報２０Ｅには、前記検出対象情報として「給与明細票２０１６」の文字列が含まれている。
【００４７】
図７に示される原稿３０は、第１ページ３０Ａ〜第８ページ３０Ｈの８つのページを有している。
【００４８】
第１ページ３０Ａには「給与明細票２０１４」の文字列が含まれている。よって、第１ページ３０Ａからは、自動処理設定情報２０Ｃに対応する検出対象情報である「給与明細票」の文字列が、検出処理部１６２により検出される。
【００４９】
第３ページ３０Ｃ〜第５ページ３０Ｅの各々には「給与明細票２０１５」の文字列が含まれている。よって、第３ページ３０Ｃ〜第５ページ３０Ｅの各々からは、自動処理設定情報２０Ｃに対応する検出対象情報である「給与明細票」の文字列と、自動処理設定情報２０Ｄに対応する検出対象情報である「給与明細票２０１５」の文字列とが、検出処理部１６２により検出される。
【００５０】
第７ページ３０Ｇ及び第８ページ３０Ｈの各々には「給与明細票２０１６」の文字列が含まれている。よって、第７ページ３０Ｇ及び第８ページ３０Ｈの各々からは、自動処理設定情報２０Ｃに対応する検出対象情報である「給与明細票」の文字列と、自動処理設定情報２０Ｅに対応する検出対象情報である「給与明細票２０１６」の文字列とが、検出処理部１６２により検出される。
【００５１】
この場合、処理実行部１６３は、例えば、上記のような検出処理部１６２の検出結果に基づいて、前記検出対象情報が含まれるページのグループを、自動処理設定情報２０Ｃ〜２０Ｅごとに個別に生成する。そして、処理実行部１６３は、例えば、当該グループごとに、当該グループに対応する自動処理設定情報２０に含まれる処理内容で当該グループのページに対応する前記画像データを処理する。
【００５２】
具体的には、処理実行部１６３は、検出処理部１６２の検出結果に基づいて、自動処理設定情報２０Ｃに対応する検出対象情報（「給与明細票」の文字列）が含まれるページのグループ（以下、第１グループと称す）と、自動処理設定情報２０Ｄに対応する検出対象情報（「給与明細票２０１５」の文字列）が含まれるページのグループ（以下、第２グループと称す）と、自動処理設定情報２０Ｅに対応する検出対象情報（「給与明細票２０１６」の文字列）が含まれるページのグループ（以下、第３グループと称す）とを生成する。前記第１グループは、第１ページ３０Ａ、第３ページ３０Ｃ〜第５ページ３０Ｅ、第７ページ３０Ｇ、及び第８ページ３０Ｈの６つのページで構成される。前記第２グループは、第３ページ３０Ｃ〜第５ページ３０Ｅの３つのページで構成される。前記第３グループは、第７ページ３０Ｇ及び第８ページ３０Ｈの２つのページで構成される。
【００５３】
そして、処理実行部１６３は、前記第１グループに含まれる前記６つのページに対応する前記画像データを、自動処理設定情報２０Ｃに含まれる処理内容（すなわち処理Ｃ）で処理する。更に、処理実行部１６３は、前記第２グループに含まれる前記３つのページに対応する前記画像データを、自動処理設定情報２０Ｄに含まれる処理内容（すなわち処理Ｄ）で処理する。更に、処理実行部１６３は、前記第３グループに含まれる前記２つのページに対応する前記画像データを、自動処理設定情報２０Ｅに含まれる処理内容（すなわち処理Ｅ）で処理する。
【００５４】
なお、前記処理Ｃは、例えば、「２ｉｎ１」のレイアウトで両面にモノクロ印刷する処理である。前記処理Ｄは、例えば、記憶部１５における「２０１５年」という名前のフォルダーに保存する処理である。前記処理Ｅは、例えば、記憶部１５における「２０１６年」という名前のフォルダーに保存する処理である。
【００５５】
また、処理実行部１６３は、前記グループごとに前記画像データを処理する前に、例えば、各グループに含まれるページのリストを操作表示部１０に表示して、当該グループのページに対応する前記画像データを前記処理内容で処理してもよいか否かをユーザーに確認してもよい。例えば、処理実行部１６３は、図８に示されるような確認画面４０を操作表示部１０に表示してもよい。確認画面４０には、タブ４１Ｃ〜４１Ｅが含まれている。そして、ユーザーによりタブ４１Ｃが選択されると、前記第１グループのページのリストが表示され、ユーザーによりタブ４１Ｄが選択されると、前記第２グループのページのリストが表示され、ユーザーによりタブ４１Ｅが選択されると、前記第３グループのページのリストが表示される。例えば、ユーザーによりタブ４１Ｃが選択されると、図８に示されるように、処理対象ページと処理内容とが表示される。ここで、ユーザーによりボタン４２が選択されると、処理実行部１６３は、自動処理設定Ｃに関する処理対象ページを全ページに変更する。また、ユーザーによりボタン４３が選択されると、処理実行部１６３は、自動処理設定Ｃに関する処理（すなわち処理Ｃ）を開始する。なお、ユーザーによりボタン４４が選択されると、処理実行部１６３は、自動処理設定Ｃ〜Ｅの全てに関する処理（すなわち処理Ｃ〜処理Ｅ）を開始する。また、ユーザーによりボタン４５が選択されると、処理実行部１６３は、前記自動処理を終了する。
【００５６】
［自動処理設定情報の変形例］
次に、図９を参照して、自動処理設定情報２０の種々の変形例について説明する。
【００５７】
図９に示される自動処理設定情報２０Ｆでは、検出対象情報が「今日の日付」となっており、処理内容が「印刷」となっている。制御部１６（検出処理部１６２）は、例えば、画像処理装置１が備える不図示のＲＴＣ（Real Time Clock）から取得される現在日時情報に基づいて、今日の日付（例えば、「２月１２日」又は「２／１２」などの文字列）が原稿３０に含まれているか否かを判定する。そして、原稿３０から今日の日付が検出された場合に、印刷処理が行われる。なお、前記検出対象情報は、「今日の日付」を示す文字列に限らず、例えば「直近の１週間のいずれかの日付」など、特定の条件を満たす日付を示す文字列であってもよい。
【００５８】
図９に示される自動処理設定情報２０Ｇでは、検出対象情報が「名簿に含まれる名前」となっており、処理内容が「人数分だけ印刷」となっている。制御部１６（検出処理部１６２）は、例えば、記憶部１５等に記憶されている不図示の名簿データに基づいて、名簿に含まれる名前が原稿３０に含まれているか否かを判定する。そして、名簿に含まれる名前が原稿３０から検出された場合に、原稿３０から検出された名前の数だけ印刷処理が行われる。例えば、名簿に含まれる５人の名前が原稿３０から検出された場合には、原稿３０の画像データが５部印刷される。このように、自動処理設定情報２０に含まれる処理内容は、検出処理部１６２により特定の条件を満たす文字列（例えば、名簿に含まれる名前を示す文字列）が検出される個数に応じた部数だけ前記画像データを印刷する印刷処理であってもよい。
【００５９】
図９に示される自動処理設定情報２０Ｈでは、検出対象情報が「アドレス帳に含まれる名前」となっており、処理内容が「メール送信」となっている。制御部１６（検出処理部１６２）は、例えば、記憶部１５等に記憶されている不図示のアドレス帳データに基づいて、アドレス帳に含まれる名前が原稿３０に含まれているか否かを判定する。そして、アドレス帳に含まれる名前が原稿３０から検出された場合に、当該アドレス帳に含まれている当該名前に対応する電子メールアドレスを用いてメール送信が行われる。例えば、アドレス帳に含まれる５人の名前が原稿３０から検出された場合には、当該５人の電子メールアドレスを用いて、当該５人宛てに原稿３０の画像データがメール送信される。
【００６０】
なお、本実施形態では、画像読取部１２によって原稿３０が読み取られる場合について説明したが、本発明はこれに限らず、通信Ｉ／Ｆ１４を通じてパーソナルコンピューターなどの情報処理装置（ホスト装置）から原稿３０の画像データを取得する場合にも本発明は適用できる。
【図１】
0006702424.tif 000002
【図２】
0006702424.tif 000003
【図３】
0006702424.tif 000004
【図４】
0006702424.tif 000005
【図５】
0006702424.tif 000006
【図６】
0006702424.tif 000007
【図７】
0006702424.tif 000008
【図８】
0006702424.tif 000009
【図９】
0006702424.tif 000010